(57)【要約】【課題】使用する人の利便性を図った物干し竿吊り用具。【解決手段】２組の装置を操作する場合、これを使用する人は移動することなく１組目の装置がある場所で、１組目の装置と２組目の装置の両方を操作して竿を上下動させ、かつ上げた竿をフックにかけ固定することもできる物干し竿吊り用具。【選択図】図１
2008093097.tif 000002
【特許請求の範囲】
【請求項１】
軒先などの支持体下面（１００）に設置される左右一対の操作部（Ａ，Ａ’）と、操作部（Ａ，Ａ’）からそれぞれ懸垂されて上下動する２組一対４本の懸垂紐（１ａ，１ｂ，１’ａ，１’ｂ）と、上記２組のそれぞれの一対の懸垂紐の先端に掛け渡され、その両端に物干し竿（Ｃ）を掛ける竿保持フック（鈎）（２ａ，２ｂ，２’ａ，２’ｂ）とを有する竿保持フックバー（３，３’）と、上記竿保持フックバー（３，３’）を上下動させる駆動源と、操作部（Ａ，Ａ’）下面に設けられた、上記竿保持フックバー（３，３’）を操作部（Ａ，Ａ’）の下方に保持するための２組一対４個の係止フック（６ａ，６ｂ，６’ａ，６’ｂ）とからなり、上記駆動源によって、上記竿保持フックバー（３，３’）が上下動し、該竿保持フックバー（３，３’）を上記係止フック（６ａ，６ｂ，６’ａ，６’ｂ）に係止および取り外し可能にしたことを特徴とする物干し竿吊り用具。
【請求項２】
駆動源が、操作部（Ａ）から垂下している、上記竿保持フックバー（３，３’）を上下動させる操作紐（４）と、操作部（Ａ，Ａ’）を連動させる連動紐（５）とからなる請求項１に記載の物干し竿吊り用具。
【請求項３】
前記操作部（Ａ）が、筐体（Ｂ）内に水平に設けられた滑車回転軸（７）と、該軸（７）に設けられた４個の滑車（８ａ〜８ｄ）と、前記２個の係止フック（６ａ，６ｂ）を揺動可能に保持する軸（９）と、前記係止フック（６ａ，６ｂ）を所定の位置に停止させる、２枚の羽根（１０ａ，１０ｂ）からなるストッパー（１０）と、該ストッパー（１０）の羽根（１０ｂ）を下方に押圧する、前記滑車（８ａ）の側壁頂部（８ｅ）に設けられた凸部（８ｆ）と、筐体（Ｂ）の下面で係止フック（６ａ，６ｂ）の近傍に設けられかつ係止フック（６ａ，６ｂ）を揺動させる誘導突起（１１ａ，１１ｂ）とからなり、前記懸垂紐（１ａ）の両端部が、前記滑車（８ａ）と前記竿保持フックバー（３）の一方の端部とを連結しており、前記懸垂紐（１ｂ）の両端部が、前記滑車（８ｄ）と前記竿保持フックバー（３）の他方の端部とを連結しており、前記操作紐（４）の端部が、滑車（８ｃ）に結合しており、連動紐（５）が、滑車（８ｂ）と操作部（Ａ’）内の滑車（８’ｂ）とを連結しており、かつ操作部（Ａ’）が、操作紐（４）および連動紐（５）を除いて、上記操作部（Ａ）と同一構造を有している請求項２に記載の物干し竿吊り用具。
【請求項４】
操作部（Ａ）の駆動源がモーターであるとき、前記操作紐（４）とそれに対応する滑車（８ｃ）が省略され、操作部（Ａ’）の駆動源がモーターであるとき、前記操作紐（４）と滑車（８’ｃ）が省略され、操作部（Ａ）および操作部（Ａ’）の駆動源がモーターであるとき、操作紐（４）、滑車（８ｂ）、滑車（８ｃ）、滑車（８’ｂ）、滑車（８’ｃ）および連動紐（５）が省略されている請求項３に記載の物干し竿吊り用具。
【発明の詳細な説明】
【技術分野】
【０００１】
本発明は、洗濯物などを干すための物干し竿吊り用具に関する。
【背景技術】
【０００２】
物干し竿を、紐の操作により上下動させることができる物干し竿吊り用具が特許文献１に記載されている。
【特許文献１】特許第３０４００６号公報
【発明の開示】
【発明が解決しようとする課題】
【０００３】
特許文献１に記載の物干し竿吊り用具は、操作が煩雑である。この従来の吊り用具と本発明の吊り用具とは、両方とも２組の長方形の筐体内に設けられた装置を紐で操作して竿を上下動させる点においては同じであるが、操作において従来の用具は、先ず使用する人が１組目に吊り下げられている竿を上げ（又は下げ）、次に２組目の所に移動して２組目に吊り下げられている竿を上げ（又は下げ）なければならない。さらに、１組の装置の操作には竿を上下動させる紐と竿を上げて固定するためのフック（鈎）を動かす紐と、最低でも２本の紐で操作しなければならないという課題がある。
【０００４】
従って、本発明の目的は、上記従来技術の課題を解決しようとするもので、２組の装置を操作する場合、これを使用する人は移動することなく１組目の装置がある場所で、１組目の装置と２組目の装置の両方を操作して竿を上下動させ、かつ上げた竿をフックにかけて固定することもできるようにした、使用する人の利便性を図った物干し竿吊り用具を提供することである。
【課題を解決するための手段】
【０００５】
上記目的は以下の本発明によって達成される。すなわち、本発明は、軒先などの支持体下面（１００）に設置される左右一対の操作部（Ａ，Ａ’）と、操作部（Ａ，Ａ’）からそれぞれ懸垂されて上下動する２組一対４本の懸垂紐（１ａ，１ｂ，１’ａ，１’ｂ）と、上記２組のそれぞれの一対の懸垂紐の先端に掛け渡され、その両端に物干し竿（Ｃ）を掛ける竿保持フック（鈎）（２ａ，２ｂ，２’ａ，２’ｂ）とを有する竿保持フックバー（３，３’）と、上記竿保持フックバー（３，３’）を上下動させる駆動源と、操作部（Ａ，Ａ’）下面に設けられた、上記竿保持フックバー（３，３’）を操作部（Ａ，Ａ’）の下方に保持するための２組一対４個の係止フック（６ａ，６ｂ，６’ａ，６’ｂ）とからなり、上記駆動源によって、上記竿保持フックバー（３，３’）が上下動し、該竿保持フックバー（３，３’）を上記係止フック（６ａ，６ｂ，６’ａ，６’ｂ）に係止および取り外し可能にしたことを特徴とする物干し竿吊り用具を提供する。
【０００６】
上記本発明の物干し竿吊り用具の１実施例においては、駆動源を、操作部（Ａ）から垂下している、上記竿保持フックバー（３，３’）を上下動させる操作紐（４）と、操作部（Ａ，Ａ’）を連動させる連動紐（５）とすることができる。
【０００７】
上記実施例においては、前記操作部（Ａ）が、筐体（Ｂ）内に水平に設けられた滑車回転軸（７）と、該軸（７）に設けられた４個の滑車（８ａ〜８ｄ）と、前記２個の係止フック（６ａ，６ｂ）を揺動可能に保持する軸（９）と、前記係止フック（６ａ，６ｂ）を所定の位置に停止させる、２枚の羽根（１０ａ，１０ｂ）からなるストッパー（１０）と、該ストッパー（１０）の羽根（１０ｂ）を下方に押圧する、前記滑車（８ａ）の側壁頂部（８ｅ）に設けられた凸部（８ｆ）と、筐体（Ｂ）の下面で係止フック（６ａ，６ｂ）の近傍に設けられかつ係止フック（６ａ，６ｂ）を揺動させる誘導突起（１１ａ，１１ｂ）とからなり、前記懸垂紐（１ａ）の両端部が、前記滑車（８ａ）と前記竿保持フックバー（３）の一方の端部とを連結しており、前記懸垂紐（１ｂ）の両端部が、前記滑車（８ｄ）と前記竿保持フックバー（３）の他方の端部とを連結しており、前記操作紐（４）の端部が、滑車（８ｃ）に結合しており、連動紐（５）が、滑車（８ｂ）と操作部（Ａ’）内の滑車（８’ｂ）とを連結しており、かつ操作部（Ａ’）が、操作紐（４）および連動紐（５）を除いて、上記操作部（Ａ）と同一構造を有していることが好ましい。
【０００８】
さらに別の実施例では、上記の実施例において、操作部（Ａ）の駆動源がモーターであるとき、前記操作紐（４）とそれに対応する滑車（８ｃ）が省略され、操作部（Ａ’）の駆動源がモーターであるとき、前記操作紐（４）と滑車（８’ｃ）が省略され、操作部（Ａ）および操作部（Ａ’）の駆動源がモーターであるとき、操作紐（４）、滑車（８ｂ）、滑車（８ｃ）、滑車（８’ｂ）、滑車（８’ｃ）および連動紐（５）が省略されている。
【発明の効果】
【０００９】
本発明によれば、２組の装置を操作する場合、これを使用する人は移動することなく１組目の装置がある場所で、１組目の装置と２組目の装置の両方を操作して竿を上下動させ、かつ上げた竿をフックにかけて固定することもでき、使用する人の利便性を図った物干し竿吊り用具が提供される。
【発明を実施するための最良の形態】
【００１０】
次に図面に示す実施例を挙げて本発明をさらに詳しく説明する。
図１は、本発明の吊り用具の全体を説明する図である。図１に示すように、本発明の吊り用具は、マンションなどの住宅の軒先などの支持体下面１００に設置して洗濯物などを干す用具である。該用具は、基本的には、左右一対の操作部Ａ，Ａ’とからなっており、各操作部Ａ，Ａ’からは、それぞれ上下動する２組一対４本の懸垂紐１ａ，１ｂ，１’ａ，１’ｂが垂下している。
【００１１】
上記４本の懸垂紐の先端には、それぞれ竿保持フックバー３，３’が掛け渡されている。該竿保持フックバー３，３’のそれぞれの両端には、物干し竿Ｃを掛け渡すための竿保持フック２ａ，２ｂ，２’ａ，２’ｂが設けられている。
【００１２】
また、一方の操作部Ａからは、垂下している上記竿保持フックバー３，３’を上下動させるための操作紐４が設けられ、さらに操作部Ａ，Ａ’を連動させる連動紐５が設けられている。また、操作部Ａ，Ａ’下面には、上記竿保持フックバー３，３’を操作部Ａ，Ａ’の下方に保持するための４個の係止フック６ａ，６ｂ，６’ａ，６’ｂがそれぞれ設けられている。
【００１３】
そして上記操作紐４と連動紐５との操作によって、上記竿保持フックバー３，３’を上下動させ、該竿保持フックバー３，３’を上記係止フック６ａ，６ｂ，６’ａ，６’ｂに係合させ、または取り外すことができるようになっている。
【００１４】
上記操作部Ａ，Ａ’の構成をさらに詳しく説明する。図２は、操作部Ａの一部切り欠き斜視図であり、図３は、操作部Ａ’の一部切り欠き斜視図である。操作部Ａと操作部Ａ’とは、操作紐４および連動紐５を除いて同一構造であるので、図２を参照して操作部Ａを説明する。操作部Ａは、構造の大部分を収納している筐体Ｂからなり、該筐体Ｂ内には、４個の滑車８ａ〜８ｄが水平に固定された滑車回転軸７が設けられ、これらの滑車８は軸７を中心として同時に回転するように構成されている。
【００１５】
筐体Ｂの一方の側面に近い滑車８ａには、懸垂紐１ａが、その一方の端部が固定されて巻つけられており、懸垂紐１ａの他方の端部は竿保持フックバー３の一方の端部に連結され、筐体Ｂの他の側面に近い滑車８ｄには、懸垂紐１ｂが、その一方の端部が固定されて巻つけられており、懸垂紐１ｂの他方の端部は竿保持フックバー３の他の端部に連結され、懸垂紐１ａと１ｂとによって竿保持フックバー３が水平に保持された状態で上下動可能に懸垂されている。
【００１６】
また、滑車の図面上右下方には、２個の係止フック６ａ，６ｂを揺動可能に保持している軸９が設けられており、該係止フック６ａ，６ｂは、竿保持フックバー３によって揺動し、竿保持フックバー３が係止フック６ａ，６ｂに掛かるようになっている。
【００１７】
連動紐５は、滑車８ｂを経由して操作部Ａ’の滑車８’ｂ（図３）に連結しており、操作紐４は、その一方の端部が滑車８ｃに固定および巻つけられており、その他方の端部を下方に牽引することで、全部の滑車８が矢印方向に回転され、竿保持フックバー３が上昇する。同時に連動紐５を下方に牽引することで、操作部Ａ’内の全ての滑車８’が同速度で回転し、竿保持フックバー３’を上昇させる。なお、図２では連動紐５が滑車８ｂの下方に垂下しているが、図４に示すように、連動紐５の端部が滑車８ｂに固定および巻つけされていてもよい。この場合には、操作紐４による滑車８全体の回転により、連動紐５は滑車８ｂに巻きつき、上記と同様に操作部Ａ’内の滑車８’を回転させて、上記と同じく作動する。なお、図３における滑車８’ｃは省略することができる。
【００１８】
次に竿保持フックバー３が、係止フック６ａに係合する状態を、操作部Ａの側面を表している図５を参照して説明する。前記操作紐４を下方に牽引すると、滑車８全体が矢印方向に回転し、竿保持フックバー３が上昇する。竿保持フックバー３が係止フック６ａの下方に接触しつつ上昇すると、係止フック６ａは図面上右方向に揺動し（２点鎖線表示）、竿保持フックバー３が係止フック６ａの先端を通過した後、係止フック６ａは自重により元位置（実線表示）に復帰するので、操作紐４を少し緩めると、竿保持フックバー３が係止フック６ａの曲線部６ａ２内に納められて、曲線部６ａ２内に係止される。
【００１９】
次に竿保持フックバー３を係止フック６ａの曲線部６ａ２内から外す動作を図６を参照して説明する。図６において、操作紐４を幾分下方に牽引すると、竿保持フックバー３が係止フック６ａの曲線部６ａ２内から上昇し、誘導突起１１ａの曲面部分に接触して、図面上右方向に揺れるとともに、竿保持フックバー３が係止フック６ａの直線部と曲線部との連結付近に接触し、係止フック６ａをさらに右方向に揺動する。この時ストッパー１０の羽根１０ａはその重みでさらに下降し、その折り曲げ片の先端が、筐体Ｂの底部に接触して止まり、係止フック６ａを二点鎖線表示の状態に保持する。次いで操作紐４を緩めることで、竿保持フックバー３は係止フック６ａに接触することなく下降することができる。同時に滑車８ａが回転して、その凸部８ｆが羽根１０ｂに接触することで、羽根１０ａは元の位置（実線表示）に復帰し、そのため係止フック６ａは保持状態が解除され、元の位置（実線表示）に復帰する。そして、次回の竿保持フックバー３の係止を待つ状態となる。なお、上記ストッパー１０は、筐体Ｂの底面に設けられた軸１２の両側に、羽根１０ａと羽根１０ｂとからシーソー状に設けられており、軸１２を中心として羽根１０ａと羽根１０ｂとが互いに反対方向に上下するように構成されている。また、羽根１０ａは、その先端部が折り曲げられて、折り曲げられた下方の先端が筐体底面に接触する（図６参照）ように構成されている。また、羽根１０ａが羽根１０ｂよりも重く、自由状態では羽根１０ａが下がるようにバランスされている。
以上の動作は、操作部Ａの反対側の係止フック６ｂ、および操作部Ａ’の両側（６’ａ，６’ｂ）においても同時に生じており、従って操作紐４の１本の動作で、物干し竿の上昇、係止および下降を行うことができる。
【００２０】
以上の実施例は、操作部Ａ，Ａ’の駆動を１本の操作紐４で行うことができ、本発明の目的が達成できる。さらに別の実施例として、滑車８に連動するモーターを筐体Ｂ内に設け、適当な配線により適当な位置にモーターをオン・オフするスイッチを設けることで、スイッチのオン・オフのみで竿保持フックバー３，３’を前記と同様に操作することができる。モーターを滑車８にのみに付設する場合には、前記操作紐４とそれに対応する滑車８ｃが省略でき、モーターを滑車８’にのみ付設する場合には、前記操作紐４と滑車８’ｃが省略でき、モーターを滑車８と滑車８’の両方に付設する場合には、さらに操作紐４、滑車８ｂ、滑車８ｃ、滑車８’ｂ、滑車８’ｃおよび連動紐５を省略することができる。
【産業上の利用可能性】
【００２１】
本発明によれば、２組の装置を操作する場合、これを使用する人は移動することなく１組目の装置がある場所で、１組目の装置と２組目の装置の両方を操作して竿を上下動させ、かつ上げた竿をフックにかけ固定することもでき、使用する人の利便性を図った物干し竿吊り用具が提供される。
【図面の簡単な説明】
【００２２】
【図１】本発明の物干し竿吊り用具の全体を説明する図。
【図２】操作部Ａを説明する図。
【図３】操作部Ａ’を説明する図。
【図４】連動紐５が滑車８ｂに固定されている実施例を説明する図。
【図５】竿保持フックバーが係止フックに係合する状態を説明する図。
【図６】竿保持フックバーが係止フックから離脱する状態を説明する図。
【符号の説明】
【００２３】
１００：支持体下面
Ａ，Ａ’：操作部
Ｂ，Ｂ’：筐体
Ｃ：物干し竿
１ａ，１ｂ，１’ａ，１’ｂ：懸垂紐
２ａ，２ｂ，２’ａ，２’ｂ：竿保持フック
３，３’：フックバー
４：操作紐
５：連動紐
６ａ，６ｂ，６’ａ，６’ｂ：係止フック
７：滑車回転軸
８ａ〜８ｄ：滑車
９：軸
１０：ストッパー
１１：誘導突起
１２：ストッパーの軸
【図１】
2008093097.tif 000003
【図２】
2008093097.tif 000004
【図３】
2008093097.tif 000005
【図４】
2008093097.tif 000006
【図５】
2008093097.tif 000007
【図６】
2008093097.tif 000008